(57)【要約】【課題】本発明は、天然素材を使用した立て簾（天然品）と重量が同等又はそれ以下で持ち運びやすく、高い強度、耐久性、遮熱性、防虫性等の天然品にはない機能性を備える立て簾を提供することを目的とする。【解決手段】簾の縦方向に沿って配置される複数の合成樹脂製の経材１１と、該複数の経材１１を連結する緯糸１２と、簾の幅方向に間を空けて配置され、前記複数の経材１１のうち補強すべき経材１１に当接するように該経材１１に沿って配置される支柱１３とからなり、前記複数の経材１１は板材から構成され、前記支柱１３は該板材の断面形状に沿う外形状を有することを特徴とする立て簾１によって、上記の課題を解決する。【選択図】図１
2014230645.tif 000002
【特許請求の範囲】
【請求項１】
簾の縦方向に沿って配置される複数の合成樹脂製の経材と、
該複数の経材を連結する緯糸と、
簾の幅方向に間を空けて配置され、前記複数の経材のうち補強すべき経材に当接するように該経材に沿って配置される支柱とからなり、
前記複数の経材は板材から構成され、前記支柱は該板材の断面形状に沿う外形状を有することを特徴とする立て簾。
【請求項２】
前記経材は、断面が弧状の板材であって、前記支柱は弧状の断面の凹部に沿う凸部を備える柱形状である請求項１に記載の立て簾。
【請求項３】
前記経材は、断面がへの字状の板材であって、前記支柱はへの字断面の凹部に沿う凸部を備える柱形状である請求項１に記載の立て簾。
【請求項４】
前記板材は、断面が平板状の板材であって、前記支柱は平板部に沿う平坦部を備える柱形状である請求項１に記載の立て簾。
【請求項５】
支柱は、中空な柱である請求項１ないし４のいずれかに記載の立て簾。
【請求項６】
支柱が当接する経材とその他の経材とを互いに異なる色彩で着色した請求項１ないし５のいずれかに記載の立て簾。
【請求項７】
複数の経材は、発泡合成樹脂からなる請求項１ないし６のいずれかに記載の立て簾。
【請求項８】
複数の経材は、酸化チタンを含有する請求項１ないし７のいずれかに記載の立て簾。
【請求項９】
複数の経材は、防虫剤を含有する請求項１ないし８のいずれかに記載の立て簾。
【請求項１０】
複数の経材は、竹の節に似せて成形される節を備える請求項１ないし９のいずれかに記載の立て簾。
【発明の詳細な説明】
【技術分野】
【０００１】
本発明は、窓、戸を覆うように軒先や壁に立て掛けて使用する立て簾に関する。
【背景技術】
【０００２】
立て簾は、軒先等に立て掛けて、日よけ、目隠し、虫よけとして利用されている。立て簾の材料としては、比較的安価に調達することができる竹や葦が使用されてきた。しかし、竹や葦等の天然材料は品質が一定ではなく、また天然材料の安定した調達が難しくなっているなどの事情により、最近では、ポリ塩化ビニル等の合成樹脂を使用した簾が使用されるようになっている。
【０００３】
例えば、特許文献１には、簾の材料として合成樹脂製のパイプや、竹、葦を使用することが記載されていている（［０００２］等）。図２等には簾の幅方向に沿って複数のパイプ状の線材を配置した簾が開示されている。線材の材料として葦を使用した場合は強度が不足するため、立て簾として使用すると変形しやすい。一方で、線材として径の大きい竹や合成樹脂製のパイプを用いた場合は、強度は申し分ないが、重量が大きくなるため取り回しが悪くなるという問題があった。
【０００４】
特許文献２には、ポリエチレンテレフタラート等の合成樹脂で断面が山型形状の遮光板を成形し、この遮光板を複数枚配置した簾が開示されている。この考案では、遮光板を板状にしているため、重量は小さくできるものの、やはり、立て簾として使用した場合は強度が不足すると思われる。
【先行技術文献】
【特許文献】
【０００５】
【特許文献１】特開２００４-８１３０９号公報
【特許文献２】実用新案登録第３１４０３４６号公報
【発明の概要】
【発明が解決しようとする課題】
【０００６】
上述の特許文献１のように、葦などの天然素材を同形状の合成樹脂材料に置き換えただけでは、重量が大きく取り回しが悪い、重量が大きい分の材料費が嵩みコスト増となる、といった問題がある。例えば、外径８ｍｍ程度の葦を使用して高さ１８４０ｍｍ×幅１８４０ｍｍの立て簾を作製した場合の重量は、４．３ｋｇ程度である。一方、同じく外径８ｍｍ程度のポリ塩化ビニル製のパイプを使用して同寸の立て簾を作製した場合の重量は約９ｋｇにもなる。このように、従来使用されていた葦を合成樹脂材料に単に置き換えただけでは重量が２倍程度にもなり、取り回しが悪く、材料費も嵩む。例えば、ポリ塩化ビニル（比重１．２９〜１．４）は、安価に調達できて成形も容易であることから、立て簾の材料として有望であるが、比重が大きいために重量の増加が顕著である。
【０００７】
本発明は、上記のような問題に鑑みて、天然素材を使用した立て簾（以下、天然品と称することがある）と重量が同等又はそれ以下で持ち運びやすく、高い強度、耐久性、遮熱性、防虫性等の天然品にはない機能性を備える立て簾を提供することを目的とする。さらに、天然品と比較しても高価になりすぎず、天然品と同等の風合い又は天然品にはない新たな美しさを備える合成樹脂製の立て簾を提供することを目的とする。
【課題を解決するための手段】
【０００８】
簾の縦方向に沿って配置される複数の合成樹脂製の経材と、該複数の経材を連結する緯糸と、簾の幅方向に間を空けて配置され、前記複数の経材のうち補強すべき経材に当接するように該経材に沿って配置される支柱とからなり、前記複数の経材は板材から構成され、前記支柱は該板材の断面形状に沿う外形状を有することを特徴とする立て簾によって、上記の課題を解決する。すなわち、本発明の立て簾では、複数の経材を板材から構成するので、軽量化を図ることが可能になる。簾の幅方向に間を空けて支柱を設けるので、経材の板厚を薄くして簾の重量を小さくしても、なんら強度に不足は生じない。そして、経材は合成樹脂材料から構成するので、カビ等による劣化の問題がなく耐久性に優れる。また、天然材料とは違って合成樹脂材料は、酸化チタンや防虫剤を添加することができるので、これらの添加材により遮熱性及び防虫性等の機能性を向上することが可能である。
【０００９】
本発明の立て簾は、立て簾のスクリーン部分を構成する複数の経材と経材の強度を補う支柱とを備える。経材の断面形状は、弧状、への字状又は平板状とし、支柱の形状を、経材の断面形状に沿うように、弧状の断面の凹部に沿う凸部を備える柱形状、への字断面の凹部に沿う凸部を備える柱形状、又は平板部に沿う平坦部を備える柱形状とすることが好ましい。ここで、孤状の断面の凹部に沿う凸部を備える柱形状としては、円柱、半円柱、四角柱の角のうち経材に当接する側の２つの角を面取りしてアールを設けた柱等が挙げられる。への字断面の凹部に沿う凸部を備える柱形状としては、三角柱、四角柱、五角柱等の形状が挙げられる。平坦部を備える形状としては、四角柱、三角柱、又は半円柱等が挙げられる。経材を円孤形状にして支柱を円柱にすれば、それぞれを竹や葦に似せて天然品と同等の風合いを再現することが可能である。一方、経材をへの字状等にして支柱を三角柱形状等にすれば、天然品にはない新たな美しさを備える合成樹脂製の立て簾を提供することができる。
【００１０】
支柱は、中空に成形することでさらに立て簾の重量をより小さくすることができる。そして、支柱が当接する経材とその他の経材とを互いに異なる色彩で着色すれば、審美性が高まるだけでなく、立て簾を運搬、設置等する際に持ち手となる部分を容易に目視確認することが可能になる。持ち手部分の判別が容易になるので、板厚の小さい経材に誤って過度の力をかけて破壊してしまうような事故を防止することができる。さらに、複数の経材を、発泡合成樹脂で成形すれば、経材をより軽量にすることができて、しかも熱伝達を抑えることにより遮熱性を向上させることができる。
【００１１】
複数の経材には、酸化チタン、防虫剤等の添加材を含有させてもよい。酸化チタンを含有させれば、紫外線や赤外線を反射することによって、遮光性を向上させることが可能である。防虫剤を含有させた場合は、虫除け効果を向上させることが可能である。
【発明の効果】
【００１２】
本発明は、簾のスクリーン部分を構成する複数の経材を合成樹脂製の板材で構成し、補強すべき経材に沿うようにして支柱を簾の幅方向に所定間隔を空けて配置するため、高い強度と耐久性を備え、かつ軽量な立て簾を提供することができる。支柱は、経材の断面形状に沿う外形状であるので、両者を当接させて、紐や結束バンド等を用いて簡単に固定することができるし、固定後のガタつきも生じない。ガタつきがないので、運搬時の取り回しや耐久性にも優れる。予め経材と支柱を固定したものと経材とを準備しておき、緯糸で所定の構成比率で連結していけば、立て簾を容易に製造することができる。例えば、支柱１本及び経材１５本を１つの構成単位として、当該構成単位を立て簾の幅方向に繰り返して連結する。このとき、例えば支柱に連結される経材を濃茶色に着色し、その他の経材を黄土色に着色すれば、色彩で構成単位を確認しながら連結することができるので、連結本数に間違いが生じ難く、製造効率を高めることができる。
【００１３】
本発明の立て簾は、形状の工夫によって軽量に構成できることから、比重の大きいポリ塩化ビニル等の合成樹脂材料を好適に使用することができる。これらの合成樹脂材料は安価であるから、材料コストを低減することができる。
【００１４】
複数の経材を合成樹脂材料で成形するため、酸化チタン、防虫剤、耐候剤等を添加することが可能である。これにより、立て簾の遮熱性、防虫性、耐久性等を向上させて、天然品にはない機能性を付与することができる。
【図面の簡単な説明】
【００１５】
【図１】本発明の立て簾の一実施例の正面図である。
【図２】図１のＡＡ部分の拡大断面図である。
【図３】図２の経材及び支柱のうちのひとつを拡大して示す断面図である。
【図４】竹の節に似せて成形した節を備える経材を示す斜視図である。
【図５】他の実施例の立て簾を構成する経材及び支柱を示す図３相当の断面図である。
【図６】他の実施例の立て簾を構成する経材及び支柱を示す図３相当の断面図である。
【図７】他の実施例の立て簾を構成する経材及び支柱を示す図３相当の断面図である。
【図８】他の実施例の立て簾を構成する経材及び支柱を示す図３相当の断面図である。
【図９】他の実施例の立て簾を構成する経材及び支柱を示す図３相当の断面図である。
【図１０】図１ないし３の実施例に係る立て簾を正面から撮影した写真である。
【図１１】図１ないし３の実施例に係る立て簾を背面から撮影した写真である。
【図１２】図１０の立て簾を平面から撮影した写真である。図視は省略するが底面は上下対称に現れる。
【図１３】図１１のＡ−Ａ´、Ｂ−Ｂ´部分に相当する部分を拡大して撮影した写真である。
【図１４】図１の立て簾を背面側から撮影した部分拡大写真である。
【図１５】図１の立て簾を巻き取った状態を平面から撮影した写真である。
【発明を実施するための形態】
【００１６】
以下、図面を参照しながら本発明を実施するための形態について説明する。
【００１７】
図１ないし３に本発明の立て簾１の一実施例を示す。図１及び図２に示したように、本発明の立て簾１は、簾の縦方向に沿って配置される複数の合成樹脂製の経材１１と、複数の経材１１を連結する緯糸１２と、簾の幅方向に間を空けて配置され、複数の経材１１のうち補強すべき経材１１（図１において黒塗した経材１１）に当接するように該経材１１に沿って配置される支柱１３とからなる。複数の経材１１は板材から構成される。支柱１３は板材の断面形状に沿う外形状を有する。
【００１８】
簾の幅方向に沿って配置される複数の合成樹脂製の板材１１の枚数、及び簾の幅方向に間を空けて配置される支柱１３の本数は特に制限されない。図１ないし３に係る実施例では、経材１１と一体にした計７本の支柱１３を幅方向に間を空けて配置し、幅方向左から右に向けて順に１４枚、１５枚、１５枚、１５枚、１５枚、５枚の経材１１を各支柱１３の間に配置した。本実施例の立て簾１は、簾の左右両端に支柱１３を配置し、軒先等に立て掛けた際の強度を確保している。前記７本の支柱１３には、図２に示したように、経材１１が沿うように固定されているため、立て簾の正面側からは支柱１３は、視認されず、立て簾１の外観を損なうことがない。
【００１９】
図１ないし３に係る実施例で使用する経材１１は、断面が弧状の板材からなる。一方、経材１１を補強する支柱１３は、経材１１に沿う円柱形状であって、図３に示したように、孤状の断面の凹部１１１に沿う凸部１３１を備える。板材１１の断面を孤状にすれば、図１５のように立て簾１を巻き取った際の収納サイズを小さくすることができる。本実施例では、支柱１３を円柱形状にしたが、これに限定されるものではない。凹部１１１に沿う凸部１３１を備える柱形状であればよいため、その他の形状として、半円柱又は四角柱の角のうち経材に当接する側の２つの角を面取りしてアールを設けた柱の形状を例示することができる。支柱１３は、図３に示したように軽量化のために、中空のパイプ形状としている。支柱１３と経材１１は、予め結束バンド、紐、針金などの固定具１５を用いて相互に固定しておくとよい。予め固定しておけば、複数の経材１１と支柱１３とを緯糸１２で連結する際の作業が容易になる。
【００２０】
支柱に固定する経材１１は、その他の経材１１と異なる色彩に着色することが好ましい。これにより、審美性が高まるだけでなく、支柱１３により補強されている個所が視認しやすくなり、上述のように立て簾１の破損を防止することができる。図１ないし３に係る実施例の立て簾１では、支柱１３に固定する経材１１を濃茶色に着色し、その他の経材１１は、竹の色に近い黄土色に着色した。着色方法に制限はなく、成形時に顔料を練り込んでもよいし、顔料又は染料を用いて塗装してもよい。
【００２１】
緯糸１２の構成は特に制限されず、経材１１及び支柱１３を連結できる程度の強度を備えるものを使用する。図１ないし３の実施例では、図３のように２本の糸が経材１１の左右両端で交差するようにして編み上げて連結している。緯糸１２の位置ずれを防止するために、経材１１と緯糸１２とを公知の接着剤で固定してもよい。
【００２２】
本発明の立て簾１においては、上述の通り経材１１を合成樹脂材料で成形する。本発明で使用する合成樹脂材料としては、ポリプロピレン、ポリエチレン、ポリエチレンテレフタラート、ポリスチレン、ポリ塩化ビニル等が挙げられる。これらのうち、安価に調達することができて、耐水性及び耐候性に優れるポリ塩化ビニルを好適に使用することができる。上述の通り、ポリ塩化ビニルの比重は、１．３〜１．５８程度である。本発明の立て簾は、形状の工夫により軽量に構成できるため、ポリ塩化ビニルを使用しても重量の増加は顕在化し難い。また、ポリプロピレンは、ポリ塩化ビニルほどではないものの安価であり、比重も０．９程度と小さいことから、より軽量な立て簾を作製する際に好適に使用することができる。図１ないし３の実施例に係る立て簾１の経材１１は、ポリ塩化ビニルを原料として、断面弧状の押出口を備えるダイから押し出して成形している。
【００２３】
立て簾１を支える支柱１３は、立て簾１を支えるのに必要な剛性を備えるものであれば特に材料は限定されない。例えば、経材１１を構成する合成樹脂材料と同一の合成樹脂材料を用いて支柱１３を成形してもよいし、アルミニウムなどの比重の小さい金属を用いて支柱を成形してもよい。軽量金属を使用して支柱１３を作製する場合は、合成樹脂で表面を被覆して、経材と色彩や風合いをそろえてもよい。図１ないし３に係る実施例の支柱１３は、ポリ塩化ビニルを原料として、断面円形のパイプ形状の押出口を備えるダイから押し出して成形している。
【００２４】
経材１１等を構成する上記の合成樹脂材料は発泡させてもよい。これにより、経材１１等の重さを更に小さくすることが可能になる。さらに、発泡させることにより、熱伝達率を下げて遮熱性を向上させることが可能である。ただし、発泡率を上げ過ぎると、強度が低下するため、発泡率は４倍以下とすることが好ましい。
【００２５】
経材１１を構成する合成樹脂材料には、紫外線や温度変化による合成樹脂の劣化を防止する目的で耐候剤を添加することが好ましい。耐候剤としては、ベンゾフェノン系、ベンゾトリアゾール系、トリアジン系、サクシレート系、シアノアクリレート系の紫外線吸収剤、ヒンダードアミン系の光安定剤などが挙げられる。図１ないし３の立て簾１を構成するポリ塩化ビニルには、耐候剤としてベンゾトリアゾール系の紫外線吸収剤、ヒンダードアミン系の光安定剤を併用した耐候剤を合成樹脂材料に対して０．３重量部を練り込んでいる。支柱１３の材料として合成樹脂材料を使用する場合は、同様に耐候剤を添加するとよい。
【００２６】
図１ないし３に係る実施例で使用した経材１１は、長さ１８４０ｍｍ×板厚２ｍｍ×幅１９ｍｍのポリ塩化ビニル製の樹脂板である。それを簾の幅方向に約２.４ｍｍずつ隙間を空けて８６枚連結する。支柱１３は、外径１５ｍｍ、内径１３ｍｍ、長さ１８４０ｍｍのポリ塩化ビニル製のパイプである。立て簾１の寸法としては、１８４０ｍｍ×１８４０ｍｍであるが、重量は４．０ｋｇに抑えることができた。市販されている１８４０ｍｍ×１８４０ｍｍの葦を用いた立て簾の重量が４ｋｇ程度であるから、本実施例の立て簾１は市販されている天然品と同等の重量である。また、図１５のように経材１１の凸部１１１が外側となるように立て簾を巻いて収納サイズを測定したところ、底面の直径が８５ｍｍ程度で高さ１８４０ｍｍの円柱状であった。比較のために、外径８ｍｍ、内径６ｍｍのポリ塩化ビニル製の樹脂パイプを経材として、当該樹脂パイプを複数本連結して長さ１８４０ｍｍ×幅１８４０ｍｍ×厚み８ｍｍの立て簾を作製してみたところ、重量は９ｋｇになった。収納サイズは、底面の直径が１５０ｍｍ程度で高さ１８４０ｍｍの円柱状であった。葦を用いた立て簾の場合は、軒先等に立て掛けたときに強度の不足から簾の端部に撓みが生じることがあったが、本発明の立て簾１の場合は立て掛けて長期にわたって使用しても撓みが生じることはなかった。さらに、葦を用いた立て簾の場合は、運送時や使用に供したときの経年変化により経材の一部に折れやつぶれが生じたり、虫がついたり、カビによる黒ずみが生じたが、本発明の立て簾１では、折れ、虫及びカビが発生することはなく、耐久性も抜群であった。
【００２７】
図１ないし３の実施例では、経材１１の表面は平滑に構成したが、図４に示したように、板材の長手方向に沿って所定間隔を空けて竹に似せて成形した節１６を複数条形成した経材１７を使用してもよい。これにより、竹を用いて作製した立て簾と同様の風合いを持たせることができる。節１６を設ける場合は、例えば経材１７を押出成形により成形すればよい。節１６は、押出ダイの出口に節１６に対応する外面を有するエアチャックを配して、当該エアチャックで押し出された成形体をつかむことで形成する。図１４に示したように支柱１３にも、同様の竹の節を形成してもよい。図１４は、図１の背面側から撮影しているため、支柱１３が写っている。
【００２８】
図１ないし３の実施例では、経材１１を濃茶色又は黄土色に着色した。経材１１に酸化チタンを含有させて白色系の色彩に着色してもよい。酸化チタンを含有させることにより、赤外線や紫外線を反射させて立て簾１の遮光性を向上することが可能である。酸化チタンは、フッ素樹脂、アクリルシリコン樹脂、ポリウレタン樹脂、アクリル樹脂等のバインダー等のバインダーと混合して経材１１の表面に塗布してもよいし、経材１１の成形時に練り込んでもよい。酸化チタンを練り込む場合は合成樹脂に対して酸化チタンを２〜３０重量部含有させるとよい。酸化チタンを塗装する場合は酸化チタンが目付で２〜１５ｇ／ｍ２となるようにするとよい。さらに、経材１１に防虫剤を含有させることにより、立て簾の防虫効果をさらに強化することができる。防虫剤は、経材１１の成形時に練り込んでもよいし、ゼオライト等の多孔質物質に防虫剤を吸着させたものをバインダーで経材１１の表面に固定してもよい。防虫剤を練り込む場合は合成樹脂に対して０．２〜５重量部含有させるとよい。防虫剤としては、ピレスロイド系の化合物等が挙げられる。ゼオライトに吸着させる場合は、有効濃度に調製した防虫剤液にゼオライトを浸漬、乾燥後、当該ゼオライトをフッ素樹脂、アクリルシリコン樹脂、ポリウレタン樹脂、アクリル樹脂等のバインダーで経材１１の表面に固定する。この場合、ゼオライトは、目付で１〜３０ｇ／ｍ２となるようにするとよい。
【００２９】
経材の断面形状は、図５ないし９のように変更することができる。図５は、経材１８の断面をへの字状の板材にした実施例である。支柱１９は、への字断面の凹部１８１に沿う三角柱であって、への字断面の凹部１８１に沿う凸部１９１を備える。本実施例では、支柱１９を三角柱にしたが、これに限定されるものではない。凹部に沿う凸部を備える柱形状であればよいため、その他の形状として、図６に示したような四角柱や、図７に示したような五角柱を例示することができる。図６の四角柱はより正確には菱形であるが、経材２０の形状に応じて例えば正方形にしてもよい。図７の五角柱も同様に変更することができる。図６及び図７の経材２０、２２及び支柱２１、２３は、凹部２０１、２２１と凸部２１１、２３１とをそれぞれ備える。軽量化のために、支柱１９、２１、２３はいずれも中空に成形されている。
【００３０】
図８は、経材２４の断面を平板状の板材にした実施例である。支柱２５は、平板部２４１に沿う平坦部２５１を備える四角柱である。本実施例では、支柱２５を四角柱にしたが、これに限定されるものではない。平板部に沿う平坦部を備える柱形状であればよいため、その他の形状として、図９に示したような半円柱、平坦部を備える三角柱（図視略）、平坦部を備える四角柱（図視略）等を例示することができる。図９の経材２６及び支柱２７は、平板部２６１及びこれに当接する平坦部２７１を備える。軽量化のため支柱２５、２７は中空に成形されている。
【００３１】
図５ないし９では、経材及び支柱を１対のみ取り出してその断面を図示した。図１及び図２のように複数枚の経糸及び支柱を幅方向に緯糸で連結して、製品とする点は、図１ないし３に係る実施例と同様である。また、使用可能な素材も図１ないし３に係る実施例と同様であり、上述の通りである。
【００３２】
図１ないし３に係る実施例及び図４に係る実施例は、竹や葦に近い形状であるから、竹や葦と同色の色彩や模様を施せば、和風建築物にマッチする立て簾を提供することができる。一方、図５ないし７の実施例は、天然品にはない形状であるから、天然品とは異なる色彩や模様を施せば現代の建築物にもマッチする立て簾を提供することができる。図８及び９の実施例は、経材が平板状であるので例えば木目の模様及び色彩を施して天然素材に似せることもできるし、天然品とは異なる模様及び色彩を施して現代風の立て簾にすることもできる。
【符号の説明】
【００３３】
１      立て簾
１１    経材
１１１  凹部
１２    緯糸
１３    支柱
１３１  凸部
１５    固定具
１６    節
１７    経材（実施例２）
１８    経材（実施例３）
１８１  凹部
１９    支柱
１９１  凸部
２０    経材（実施例４）
２０１  凹部
２１    支柱（実施例４）
２１１  凸部
２２    経材（実施例５）
２２１  凹部
２３    支柱（実施例５）
２３１  凸部
２４    経材（実施例６）
２４１  平板部
２５    支柱（実施例６）
２５１  平坦部
２６    経材（実施例７）
２６１  平板部
２７    支柱
２７１  平坦部
【図１】
2014230645.tif 000003
【図２】
2014230645.tif 000004
【図３】
2014230645.tif 000005
【図４】
2014230645.tif 000006
【図５】
2014230645.tif 000007
【図６】
2014230645.tif 000008
【図７】
2014230645.tif 000009
【図８】
2014230645.tif 000010
【図９】
2014230645.tif 000011
【図１０】
2014230645.tif 000012
【図１１】
2014230645.tif 000013
【図１２】
2014230645.tif 000014
【図１３】
2014230645.tif 000015
【図１４】
2014230645.tif 000016
【図１５】
2014230645.tif 000017